(57)【要約】【課題】用紙を測定して得た物性値をその用紙に対応する用紙プロファイルへ登録する処理を複数の用紙プロファイルについて一括して実行可能な用紙管理装置を提供する。【解決手段】用紙管理装置の機能を含む画像形成装置３は、保存されている用紙プロファイルの中から複数の用紙プロファイルの選択を操作パネル１４で受け付け、選択された用紙プロファイルに対応する用紙を給紙ユニット５に装填するようにユーザに指示する。用紙の装填完了後、給紙トレイから給紙した各用紙の物性値をメディアセンサ１３で測定し、選択された各用紙プロファイルと、物性値の測定された用紙との対応付けを行い、用紙を測定して得た物性値をその用紙に対応付けた用紙プロファイルに登録する処理を、選択された複数の用紙プロファイルについて連続的に一括して行う。【選択図】図１
2020012940.tif 000002
【特許請求の範囲】
【請求項１】
保存部に保存されている用紙プロファイルの中から複数の用紙プロファイルを選択する選択部と、
用紙の物性値を測定する物性値測定部と、
前記選択部で選択された用紙プロファイルと、前記物性値測定部で物性値の測定された用紙との対応付けを行い、前記物性値測定部で用紙を測定して得た物性値をその用紙に対応付けた用紙プロファイルに登録する処理を、複数の用紙プロファイルについて一括して行う制御部と、
を有する
ことを特徴とする用紙管理装置。
【請求項２】
給紙トレイと、
前記給紙トレイから用紙を繰り出し、前記物性値測定部へ搬送する搬送部と、
を有し、
前記物性値測定部は、前記搬送部によって搬送されてきた用紙の物性値を測定し、
前記制御部は、前記給紙トレイから用紙を繰り出してその用紙の物性値を前記物性値測定部で測定する動作が複数の用紙について連続的に行われるように制御する
ことを特徴とする請求項１に記載の用紙管理装置。
【請求項３】
前記制御部は、前記選択部で選択された各用紙プロファイルに対応する用紙を、どの給紙トレイの何枚目に装填するかを決定し、これをユーザに通知して用紙の装填を指示する
ことを特徴とする請求項２に記載の用紙管理装置。
【請求項４】
前記制御部は、用紙サイズ毎に用紙の装填先の給紙トレイを変更し、同一サイズの用紙が同じ給紙トレイに装填されるように前記決定を行う
ことを特徴とする請求項３に記載の用紙管理装置。
【請求項５】
前記制御部は、１つの給紙トレイに装填された複数の用紙が連続して前記物性値測定部によって測定されるように、用紙の測定順を設定する
ことを特徴とする請求項４に記載の用紙管理装置。
【請求項６】
前記制御部は、同一の給紙トレイから繰り出された連続する２枚の用紙を測定して得た物性値が一定以上近い値の場合に警告を発する
ことを特徴とする請求項２乃至５のいずれか１つに記載の用紙管理装置。
【請求項７】
前記制御部は、用紙の装填を指示する時点で装填先の給紙トレイに既に用紙が装填されている場合に警告を発する
ことを特徴とする請求項２乃至５のいずれか１つに記載の用紙管理装置。
【請求項８】
前記制御部は、一の給紙トレイから繰り出して物性値を測定すべき枚数の用紙をその給紙トレイから繰り出し終えたときにその給紙トレイに用紙が残っている場合は警告を発する
ことを特徴とする請求項３乃至５のいずれか１つに記載の用紙管理装置。
【請求項９】
前記制御部は、一の用紙プロファイルに対応付けた用紙を測定して得た物性値と、前記一の用紙プロファイルとの適合性を判断し、不適合の場合に警告を発する
ことを特徴とする請求項３乃至５のいずれか１つに記載の用紙管理装置。
【請求項１０】
前記選択部は、前記保存部に保存されている用紙プロファイルのうち、物性値が未登録の用紙プロファイルのみを選択候補としてユーザに提示する
ことを特徴とする請求項１に記載の用紙管理装置。
【請求項１１】
前記選択部は、選択候補の用紙プロファイルを、その用紙プロファイルに物性値が登録済みか否かを示す情報と共にユーザに提示する
ことを特徴とする請求項１に記載の用紙管理装置。
【請求項１２】
前記制御部は、前記物性値測定部で用紙を測定して得た物性値に基づいて、その用紙に対応する用紙プロファイルを、前記保存部に保存されている用紙プロファイルのうち物性値が未登録の用紙プロファイルの中から推定し、該推定した用紙プロファイルと前記用紙とを対応付ける
ことを特徴とする請求項１に記載の用紙管理装置。
【請求項１３】
前記制御部は、対応する用紙プロファイルを推定できなかった用紙が存在する場合は、その用紙の用紙プロファイルを新規作成し得るようにユーザを誘導する
ことを特徴とする請求項１２に記載の用紙管理装置。
【請求項１４】
請求項１乃至１３のいずれか１つに記載の用紙管理装置を含む画像形成装置。
【発明の詳細な説明】
【技術分野】
【０００１】
本発明は、印刷用の用紙プロファイルに実測した用紙の物性値を登録する用紙管理装置およびこれを含む画像形成装置に関する。
【背景技術】
【０００２】
画像形成装置における出力画像の品質は、画像形成装置の各特性（搬送特性、転写特性、定着特性など）と、用紙の特性（用紙種類、坪量など）が、適合するか否かに大きく依存している。そのため、使用する用紙の特性に合わせて、画像形成装置側の画像形成条件に係る各種パラメータの値を変更する必要がある。多数のパラメータの値を個別にかつ正確に設定するには手間を要すると共に設定ミスも生じ易い。そこで、用紙種類(紙種)、坪量、用紙の色といった用紙の属性(用紙設定）や、表裏の倍率、転写電圧といった装置側のパラメータの調整値などを集約した用紙プロファイルを用紙毎に予め作成してデータベース等に登録しておき、画像形成時には、使用する用紙に対応した用紙プロファイルを選択して指定すれば足りるように装置を構成することで、作業量の軽減とミスの発生防止が図られている。
【０００３】
用紙プロファイルは非常に多くの種類が登録される。その為、画像形成の際に、多数の用紙プロファイルの中から今回使用する用紙に対応した用紙プロファイルの選択には多くの手間を要する。この手間を軽減するために、用紙プロファイルの検索機能が設けられている。一般的な検索機能としては、紙種、坪量などの用紙設定で限定する手法がある。しかし、同一の紙種、同一の坪量をもつ用紙プロファイルが多く存在する場合には、用紙設定で限定しても候補を絞りきれない場合がある。
【０００４】
そこで、近年は、メディアセンサを用いて用紙の物性値を測定し、これを該当する用紙プロファイルに予め登録（関連付けて保存）しておき、画像形成時には、使用したい用紙の物性値をメディアセンサで測定し、その物性値に基づいて用紙プロファイルを検索することが行われる。メディアセンサは、たとえば、用紙に対して光源から光を照射し、光の反射率や透過率などから用紙の表面性、紙厚、坪量などの物性値を測定する。また、メディアセンサを画像形成装置内の搬送経路上に配置し、給紙トレイから給紙された用紙の物性値を取得することが行われている。
【０００５】
図２２は、物性値が登録された用紙プロファイルのデータ構成例を示しており、図２３は、物性値に基づく用紙プロファイルの検索処理を模擬的に表している。物性値に基づく検索は、使用する用紙を測定して得た物性値と用紙プロファイルに予め登録されている物性値との数値的距離を算出して行われる。そのため、用紙設定で限定する手法に比べて、より細かく検索でき、より高精度な検索を実現することができる。
【０００６】
しかし、この検索機能を実現するためには事前に用紙プロファイルに物性値を登録しておく必要がある。
【０００７】
用紙プロファイルに物性値を関連付けて保存する技術として、用紙プロファイルを新規作成して登録する時または用紙プロファイルに用紙設定を登録する時に、使用する用紙をメディアセンサで測定し、該測定で得た物性値を登録する技術がある。
【０００８】
また、下記特許文献１では、用紙プロファイルを選択して印刷する際にその用紙の物性値を搬送路上に配置したメディアセンサで自動的に読み取って用紙プロファイルに登録する技術が提案されている。
【先行技術文献】
【特許文献】
【０００９】
【特許文献１】特開２０１０−２１７７４２号公報
【発明の概要】
【発明が解決しようとする課題】
【００１０】
特許文献１に開示の技術では、ユーザが物性値の登録を特別に意識せずに用紙プロファイルに物性値を登録できる反面、一度その用紙を用いて印刷を行わない限り物性値を登録することはできない。そのため、多数の用紙プロファイルに、それぞれに対応する用紙の物性値を短期間にまとめて登録することは難しい。例えば、メディアセンサが搭載されていない今まで使用していた画像形成装置をメディアセンサが搭載された新たな画像形成装置に置き換える場合には、前の装置で使用していた用紙プロファイルを新たな装置へ引き継ぐことになる。この際、多数の用紙プロファイルにそれぞれに対応する用紙の物性値を登録する必要が生じるが、特許文献１に開示の技術では、それぞれの用紙について実際に印刷を実際に行うまでその用紙に対応する用紙プロファイルに物性値を登録することはできなかった。
【００１１】
物性値を用いた検索を的確に行うためには、保存されているすべての用紙プロファイルに物性値を登録しておくことが望ましいが、特許文献１に開示の技術では、実際に印刷を行うまで用紙プロファイルに物性値を登録できないので、物性値の登録作業がなかなか進まない。
【００１２】
また、従来は、用紙の物性値をメディアセンサで測定し、これを用紙プロファイルに登録する作業を、１つ１つの用紙プロファイルについて個別に行われなければならなかった。そのため、大量の用紙プロファイルに用紙の物性値を登録するには、個別の登録作業を何度も繰り返さなければならず、多大な時間と手間が必要であった。特に、この個別の登録作業を、画像形成装置の搬送路上に設けられたインラインのメディアセンサで用紙の物性値を測定して行う場合には、個別の登録作業毎に、給紙トレイの開閉および用紙の装填を行う必要があり、煩雑であった。
【００１３】
本発明は、上記の問題を解決しようとするものであり、複数の用紙プロファイルに用紙の物性値を効率よく登録することのできる用紙管理装置およびこれを備えた画像形成装置を提供することを目的としている。
【課題を解決するための手段】
【００１４】
かかる目的を達成するための本発明の要旨とするところは、次の各項の発明に存する。
【００１５】
［１］保存部に保存されている用紙プロファイルの中から複数の用紙プロファイルを選択する選択部と、
用紙の物性値を測定する物性値測定部と、
前記選択部で選択された用紙プロファイルと、前記物性値測定部で物性値の測定された用紙との対応付けを行い、前記物性値測定部で用紙を測定して得た物性値をその用紙に対応付けた用紙プロファイルに登録する処理を、複数の用紙プロファイルについて一括して行う制御部と、
を有する
ことを特徴とする用紙管理装置。
【００１６】
上記発明では、複数の用紙プロファイルへの物性値の登録を一括して行うことができる。各用紙の測定は、ユーザが１枚ずつ行ってもよいし、用紙搬送部等により用紙を順次、自動的に物性値測定部へ送り込む構成でもよい。
【００１７】
［２］給紙トレイと、
前記給紙トレイから用紙を繰り出し、前記物性値測定部へ搬送する搬送部と、
を有し、
前記物性値測定部は、前記搬送部によって搬送されてきた用紙の物性値を測定し、
前記制御部は、前記給紙トレイから用紙を繰り出してその用紙の物性値を前記物性値測定部で測定する動作が複数の用紙について連続的に行われるように制御する
ことを特徴とする［１］に記載の用紙管理装置。
【００１８】
上記発明では、給紙トレイに装填された用紙を搬送部により、順次、物性値測定部へ自動搬送する。一括登録に伴うユーザの作業量が軽減される。
【００１９】
［３］前記制御部は、前記選択部で選択された各用紙プロファイルに対応する用紙を、どの給紙トレイの何枚目に装填するかを決定し、これをユーザに通知して用紙の装填を指示する
ことを特徴とする［２］に記載の用紙管理装置。
【００２０】
上記発明では、各用紙をどの給紙トレイの何枚目に装填するかを装置側で決定して指示するので、測定時に各給紙トレイから給紙した用紙が、どの用紙プロファイルに対応した用紙であるかを装置側で認識することができる。
【００２１】
［４］前記制御部は、用紙サイズ毎に用紙の装填先の給紙トレイを変更し、同一サイズの用紙が同じ給紙トレイに装填されるように前記決定を行う
ことを特徴とする［３］に記載の用紙管理装置。
【００２２】
上記発明では、同じサイズの用紙は１つの同じ給紙トレイに装填される。
【００２３】
［５］前記制御部は、１つの給紙トレイに装填された複数の用紙が連続して前記物性値測定部によって測定されるように、用紙の測定順を設定する
ことを特徴とする［４］に記載の用紙管理装置。
【００２４】
上記発明では、１つの給紙トレイに装填された同じサイズの用紙が連続的に繰り出されて測定されるようになる。
【００２５】
［６］前記制御部は、同一の給紙トレイから繰り出された連続する２枚の用紙を測定して得た物性値が一定以上近い値の場合に警告を発する
ことを特徴とする［２］乃至［５］のいずれか１つに記載の用紙管理装置。
【００２６】
上記発明では、同じ用紙を誤って２枚重ねて装填したことを検出して警告する。
【００２７】
［７］前記制御部は、用紙の装填を指示する時点で装填先の給紙トレイに既に用紙が装填されている場合に警告を発する
ことを特徴とする［２］乃至［５］のいずれか１つに記載の用紙管理装置。
【００２８】
上記発明では、用紙の装填を指示する前に一括登録に関係のない余計な用紙が給紙トレイに既に装填されていることを警告する。
【００２９】
［８］前記制御部は、一の給紙トレイから繰り出して物性値を測定すべき枚数の用紙をその給紙トレイから繰り出し終えたときにその給紙トレイに用紙が残っている場合は警告を発する
ことを特徴とする［３］乃至［５］のいずれか１つに記載の用紙管理装置。
【００３０】
上記発明では、予定の枚数を繰り出しても用紙が給紙トレイに残っている場合は、余計な用紙が給紙トレイに装填されていたことになり、測定した各用紙とこれに対応付けた用紙プロファイルとの関係に誤りが生じた可能性があるので、警告する。
【００３１】
［９］前記制御部は、一の用紙プロファイルに対応付けた用紙を測定して得た物性値と、前記一の用紙プロファイルとの適合性を判断し、不適合の場合に警告を発する
ことを特徴とする［３］乃至［５］のいずれか１つに記載の用紙管理装置。
【００３２】
上記発明では、用紙を測定して得た物性値と、選択順等に基づいて該用紙に対応付けられている用紙プロファイルとが適合する関係にあるか否かを判断し、不適合の場合は、選択順等に基づいて定めた、用紙と用紙プロファイルとの対応付けに間違いがあると判断して警告する。
【００３３】
［１０］前記選択部は、前記保存部に保存されている用紙プロファイルのうち、物性値が未登録の用紙プロファイルのみを選択候補としてユーザに提示する
ことを特徴とする［１］に記載の用紙管理装置。
【００３４】
上記発明では、既に物性値が登録されている用紙プロファイルは、物性値を一括登録する必要がないため、選択候補から除外する。これにより、既に物性値が登録済みの用紙プロファイルをユーザが物性値の登録対象に誤って選択することが防止される。
【００３５】
［１１］前記選択部は、選択候補の用紙プロファイルを、その用紙プロファイルに物性値が登録済みか否かを示す情報と共にユーザに提示する
ことを特徴とする［１］に記載の用紙管理装置。
【００３６】
上記発明では、物性値が登録済みか否かを示す情報を参照することで、ユーザは、物性値未登録の用紙プロファイルを容易に選択できる。また、既に物性値が登録済みの用紙プロファイルに、物性値を登録し直したい場合にも対応することができる。
【００３７】
［１２］前記制御部は、前記物性値測定部で用紙を測定して得た物性値に基づいて、その用紙に対応する用紙プロファイルを、前記保存部に保存されている用紙プロファイルのうち物性値が未登録の用紙プロファイルの中から推定し、該推定した用紙プロファイルと前記用紙とを対応付ける
ことを特徴とする［１］に記載の用紙管理装置。
【００３８】
上記発明では、用紙を測定して得た物性値に基づいて、その用紙に対応する用紙プロファイルを推定することで、用紙と用紙プロファイルを対応付けする。
【００３９】
［１３］前記制御部は、対応する用紙プロファイルを推定できなかった用紙が存在する場合は、その用紙の用紙プロファイルを新規作成し得るようにユーザを誘導する
ことを特徴とする［１２］に記載の用紙管理装置。
【００４０】
上記発明では、用紙を測定して得た物性値からその用紙に対応する用紙プロファイルを推定できなかった場合に、ユーザを、その用紙に係る用紙プロファイルの新規作成に導く。
【００４１】
［１４］［１］乃至［１３］のいずれか１つに記載の用紙管理装置を含む画像形成装置。
【発明の効果】
【００４２】
本発明に係る用紙管理装置およびこれを備えた画像形成装置によれば、複数の用紙プロファイルに、それぞれに対応する用紙の物性値を一括して登録することができる。
【図面の簡単な説明】
【００４３】
【図１】本発明の実施の形態に係る画像形成装置を示す図である。
【図２】本発明の実施の形態に係る画像形成装置の本体装置の電気的な概略構成を示すブロック図である。
【図３】本発明の実施の形態に係る画像形成装置が有するメディアセンサの取り付け位置、構造等を示す図である。
【図４】用紙プロファイル管理画面の一例を示す図である。
【図５】手動モードにおける一括物性値登録画面の一例を示す図である。
【図６】選択された用紙プロファイルの識別番号が選択順に登録された一括登録対象配列を示す図である。
【図７】物性値が登録されている用紙プロファイルのみが用紙プロファイル一覧に表示される場合の一括物性値登録画面の一例を示す図である。
【図８】物性値が登録されている用紙プロファイルと物性値が登録されていない用紙プロファイルとが識別可能に区別して用紙プロファイル一覧に表示される場合の一括物性値登録画面の一例を示す図である。
【図９】用紙装填先の給紙トレイ（給紙トレイ番号）を決定する処理を示す流れ図である。
【図１０】用紙サイズがすべて同一の場合に表示する用紙装填指示画面の一例を示す図である。
【図１１】装填先の給紙トレイが複数になる場合に表示する用紙装填指示画面の一例を示す図である。
【図１２】一括登録対象配列８０と物性値保存配列８４を測定順をキーにして対応付けることを示す説明図である。
【図１３】手動モードで一括物性値登録を行う場合の処理を示す流れ図である。
【図１４】一括自動物性値登録画面の一例を示す図である。
【図１５】用紙装填指示画面（自動）の一例を示す図である。
【図１６】指定用紙設定を求める工程を示す図である。
【図１７】自動モードにおける物性値保存配列を示す図である。
【図１８】推定用紙設定と各用紙プロファイルの用紙設定とを比較する様子を示す図である。
【図１９】不一致対応画面の一例を示す図である。
【図２０】用紙プロファイル登録画面の一例を示す図である。
【図２１】自動モードで一括物性値登録を行う場合の処理を示す流れ図である。
【図２２】物性値が登録された用紙プロファイルのデータ構成例を示す図である。
【図２３】物性値に基づいて対応する用紙プロファイルを検索する工程を模擬的に示す図である。
【発明を実施するための形態】
【００４４】
以下、図面に基づき本発明の実施の形態を説明する。
【００４５】
図１は、本発明の実施の形態に係る用紙管理装置を含む画像形成装置３を示す図である。画像形成装置３は、複数の給紙ユニット５と、本体装置１０と、後処理ユニット８を備えて構成される。給紙ユニット５は用紙を収納する給紙トレイを複数備えており、各給紙トレイに収納されている用紙を繰り出して本体装置１０に向けて搬送する。本体装置１０は、給紙ユニット５から搬送されてきた用紙に画像を形成して後段の後処理ユニット８へ送り出す。後処理ユニット８は、本体装置１０から受け入れた用紙に、穴あけ、綴じ、折りなどの後処理を施す機能および本体装置１０から受け入れた用紙もしくは当該ユニットで後処理を施した用紙をスタックして保持する機能を果たす。
【００４６】
本体装置１０は、給紙ユニット５から到来する用紙を搬送する搬送部１２と、搬送部１２が搬送する用紙に画像を形成する画像形成部１１を備えている。搬送部１２は、搬送経路を構成する多数の搬送ローラ、搬送ガイド、搬送ローラの駆動するモータなどで構成される。画像形成部１１は、無端で環状に掛け渡された中間転写ベルト１１ａと、この中間転写ベルト１１ａに沿って配置されたC,M,Y,K各色の像形成ユニット１１ｂと、定着装置１１ｃなどで構成される。
【００４７】
画像形成部１１は、像形成ユニット１１ｂによって中間転写ベルト１１ａ上にC,M,Y,K各色のトナー像を重畳してフルカラーのトナー像を形成する。中間転写ベルト１１ａ上に形成されたトナー像は、給紙ユニット５から搬送されてきた用紙に２次転写位置Ｄで転写される。トナー像が転写された用紙は、下流の定着装置１１ｃを通る際に加圧加熱されて該用紙に定着される。定着装置１１ｃを出た用紙は、搬送部１２によって後段の後処理ユニット８に向けて搬送される。なお、画像形成部１１は上記のようなタンデム式の電子写真方式に限定されない。
【００４８】
本体装置１０内の搬送経路上の所定箇所には、搬送される用紙の各種物性値を測定する機能を果たすメディアセンサ（物性値測定部）１３が設けてある。
【００４９】
さらに本体装置１０は、オペレータから各種の操作を受け付ける機能、および、設定画面・操作画面、装置状態、警告等を表示する機能を果たす操作パネル１４を備えている。
【００５０】
本体装置１０では、給紙トレイ毎に、用紙プロファイルを設定するようになっており、給紙トレイから給紙した用紙に画像を形成するとき、その給紙トレイに設定されている用紙プロファイルに基づいて定めた画像形成条件で画像を形成する。用紙プロファイルは、用紙種類(紙種)、坪量、用紙の色といった用紙の属性(用紙設定）や、表裏の倍率、転写電圧といった装置側のパラメータの調整値などを集約したものである。たとえば、本体装置１０は、用紙プロファイルに登録されている坪量等の情報に基づいて用紙の搬送速度や定着温度を切り換える。
【００５１】
画像形成装置３の本体装置１０は、給紙トレイから繰り出されて搬送されて来た用紙の各種物性値をメディアセンサ１３で測定して対応する用紙プロファイルに登録する動作を、複数の用紙（もしくは複数の用紙プロファイル）について連続的に一括して実行する機能(一括物性値登録機能)を備えている。なお、外部のメディアセンサで測定した物性値を取得して用紙プロファイルに登録することも可能になっている。
【００５２】
図２は、画像形成装置３の本体装置１０の電気的な概略構成を示すブロック図である。本体装置１０は、画像処理部２０と、本体部３０を有し、画像処理部２０には、ＰＣ端末などの外部端末がＬＡＮなどのネットワークを介して接続される。画像処理部２０は外部端末から送られてくる印刷ジョブに係る印刷データをラスタライズしてビットマップ形式のイメージデータを生成するＲＩＰ（Raster Image Processor）機能等を果たす。
【００５３】
画像処理部２０は、画像処理部２０の動作を統括制御するコントローラ制御ＣＰＵ（Central Processing Unit）２１、ＬＡＮに接続するための通信機能を果たすＬＡＮＩ／Ｆ部（Interface）部２４、ＲＩＰ処理により生成したイメージデータなどを記憶する画像メモリ２３、画像メモリ２３へのデータのリード／ライト機能、画像データの本体部３０への転送等を行うＤＲＡＭ（Dynamic Random Access Memory）制御部２２、多数の用紙プロファイルを記憶する保存部としての用紙プロファイル記憶部２５を備えている。
【００５４】
このほか、コントローラ制御ＣＰＵ２１には、当該コントローラ制御ＣＰＵ２１が読み出して実行するプログラムや固定データが記憶されたＲＯＭ（Read Only Memory）、コントローラ制御ＣＰＵ２１がプログラムを実行する際に各種データを一時的に格納するためのワークメモリとして使用されるＲＡＭ（Random Access Memory）などが接続されている。
【００５５】
本体部３０は、本体部３０の動作を制御する制御部４０に、操作パネル１４と、スキャナ部１６と、プリントエンジン部３１を接続して構成される。プリントエンジン部３１は、前述の画像形成部１１、搬送部１２、メディアセンサ１３のほか、プリントエンジン部３１全体の動作を制御するプリンタ制御部３２を有する。プリンタ制御部３２には先ほど説明したメディアセンサ１３、プリントエンジン部３１が有するモータ、ソレノイド、センサなどの各種電気部品が接続されている。
【００５６】
操作パネル１４は、液晶ディスプレイ（ＬＣＤ（Liquid Crystal Display））と、その画面上に敷設されたタッチスイッチやその他のスイッチから成る操作部と、これらを制御する操作表示制御部（ＣＰＵ）を有して構成される。
【００５７】
スキャナ部１６は、原稿に光を照射してその反射光を受光して読み取るＣＣＤ等で構成された読み取りセンサ、スキャナ部１６全体の動作を制御するスキャナ制御部を有する。
【００５８】
制御部４０は、本体装置１０の動作を統括制御する機能を果たし、ＤＲＡＭ制御部４１と、画像制御ＣＰＵ４２と、不揮発メモリ４３と、読み取り処理部４４と、圧縮ＩＣ（Integrated Circuit）４５と、書き込み処理部４６と、伸張ＩＣ４７と、半導体メモリで構成された画像メモリ４８などを備えて構成される。
【００５９】
読み取り処理部４４は、スキャナ部１６から入力される画像データに対して拡大処理、鏡像処理、誤差拡散処理などを施す機能を果たす。圧縮ＩＣ４５は画像データを圧縮し、伸張ＩＣ４７は圧縮された画像データ（圧縮画像データ）を元のイメージデータに伸張する機能を果たす。
【００６０】
画像メモリ４８は、非圧縮の画像データをページ単位で記憶可能なページメモリとしての機能と、圧縮画像データを記憶する圧縮メモリなどとして使用される。
【００６１】
書き込み処理部４６は、圧縮メモリから読み出して伸張された画像データに応じて像形成ユニット１１ｂのレーザーダイオード（ＬＤ）をオン/オフさせるための信号を、画像形成部１１の動作に応じたタイミングで出力する機能を果たす。
【００６２】
ＤＲＡＭ制御部４１は、ダイナミックＲＡＭからなる画像メモリ４８へのリード・ライトおよびリフレッシュのタイミング制御、画像データを圧縮して圧縮メモリに格納したり、圧縮メモリから圧縮画像データを読み出して伸張したりする際のタイミング制御などを行う。またＤＲＡＭ制御部４１はＰＣＩ（Peripheral Component Interconnect）バスを通じて画像処理部２０のＤＲＡＭ制御部２２と接続されており、画像処理部２０との間で該ＰＣＩバスを通じて各種のデータを授受する機能を果たす。
【００６３】
画像制御ＣＰＵ４２は、本体部３０の動作全体を制御する機能を果たす。画像制御ＣＰＵ４２は、ＣＰＵおよびＲＯＭ、ＲＡＭを主要部とする回路で構成されており、ＲＯＭに格納されたプログラムに従って各種の制御を実行する。このＲＯＭには、プログラムや各種固定データなどが記憶されており、ＣＰＵはＲＯＭに格納されたプログラムに従って動作する。ＲＡＭは、ＣＰＵがプログラムを実行する際に各種のデータを一時的に格納するワークメモリとして使用される。
【００６４】
不揮発メモリ４３は、電源オフ後も記憶しておくべきユーザデータやシステムデータなどが記憶されるメモリである。
【００６５】
画像制御ＣＰＵ４２はプログラムを実行することで、用紙プロファイル記憶部２５に保存されている用紙プロファイルの中から複数の用紙プロファイルを選択する選択部、選択部で選択された用紙プロファイルと、メディアセンサ１３で物性値の測定された用紙との対応付けを行い、メディアセンサ１３で用紙を測定して得た物性値をその用紙に対応する用紙プロファイルに登録する処理を、複数の用紙プロファイルについて一括して行う制御部(一括登録制御部)としての機能を果たす。一括登録制御部は、給紙ユニット５の給紙トレイから用紙を繰り出し、その用紙の物性値をメディアセンサ１３で測定する動作が複数の用紙について連続的に行われるように制御する機能等を果たす。
【００６６】
なお、図２に示す本体装置１０の構成は一例であり、これに限定されるものではない。本発明に係る用紙管理装置は、物性値測定部としてのメディアセンサ１３、制御部としての画像制御ＣＰＵ４２、選択部としての機能を果たす操作パネル１４等で構成される、もしくは、これらに搬送部１２、給紙ユニット５などを加えた装置として構成される。
【００６７】
図３は、メディアセンサ１３の取り付け位置や構造等を示している。各給紙トレイから繰り出される用紙の搬送経路は、各給紙トレイの下流で合流したのち、水平搬送、中間搬送、レジスト部、２次転写位置Ｄ、定着装置１１ｃを通るように設けてある。また、搬送経路の一部として、両面印刷のために用紙の表裏を反転する反転機構が設けてある。
【００６８】
メディアセンサ１３は、中間搬送に設けてあり、紙厚センサ、坪量センサ、平滑度センサなどで構成される。
【００６９】
次に、メディアセンサ１３で用紙を測定して得た物性値を用紙プロファイルに登録する処理を、複数の用紙（もしくは複数の用紙プロファイル）について連続的に一括して行う一括物性値登録機能の動作について説明する。
【００７０】
一括物性値登録機能の動作には、自動モードと手動モードがある。自動／手動の何れの場合も一括物性値登録機能の動作は、用紙プロファイル選択工程、用紙装填工程、対応付け工程、物性値登録工程で構成される。用紙プロファイル選択工程は、用紙プロファイル記憶部２５に保存されている用紙プロファイルの中から複数の用紙プロファイルを選択する工程である。用紙装填工程は、給紙トレイに物性値の測定対象となる用紙を装填する工程である。対応付け工程は、物性値の測定および用紙と用紙プロファイルとの対応付けを行う工程である。物性値登録工程は、測定した物性値を対応する用紙プロファイルに登録する工程である。
【００７１】
なお、用紙プロファイルに登録されている用紙設定等の情報が示す用紙を登録用紙とし、用紙プロファイルに登録する物性値が測定される予定の用紙をその用紙プロファイルの測定対象用紙と呼ぶものとする。
【００７２】
まず、一括物性値登録機能の手動モードでの動作を説明する
＜用紙プロファイル選択工程(手動)＞
図４は、手動モードにおいて用紙プロファイルを選択する際に操作パネル１４の表示部に表示される用紙プロファイル管理画面６０の一例を示している。用紙プロファイル管理画面６０では、用紙プロファイルの追加作成、編集、削除等の操作を受け付ける。用紙プロファイル管理画面６０の下部には一括物性値登録釦６１が設けてあり、この一括物性値登録釦６１を押下することで、図５に示す、用紙プロファイル手動選択用の一括物性値登録画面７０が表示される。
【００７３】
一括物性値登録画面７０の略左半分の領域には選択候補の用紙プロファイルの一覧（用紙プロファイル一覧７１）が表示され、略右半分の領域には選択された用紙プロファイルの一覧（一括登録プロファイル一覧７２）が表示される。
【００７４】
各用紙プロファイルには、これを一意に示す識別番号が付してある。用紙プロファイル一覧７１には、用紙プロファイル記憶部２５に記憶されているすべての用紙プロファイルの名称等と識別番号が、識別番号順（昇順）に表示される。用紙プロファイル記憶部２５に記憶されている用紙プロファイルの数が用紙プロファイル一覧７１に一度に表示可能な数を超える場合は、一部の用紙プロファイルが用紙プロファイル一覧７１に表示され、スクロール釦により表示箇所を移動させることができる。なお、選択候補の用紙プロファイルは、用紙プロファイル記憶部２５とは別の場所、たとえば、ネットワークを通じて接続されたサーバ等に保存されたものであってもかまわない。
【００７５】
ユーザは、用紙プロファイル一覧７１に表示されている用紙プロファイルの中から物性値の登録を希望する用紙プロファイルを選択する。本体装置１０は、用紙プロファイル一覧７１において、選択された用紙プロファイルの欄を、選択されていない用紙プロファイルの欄と異なる表示態様に変化させる。たとえば、背景色を変化させ、文字を白黒反転させる等する。図５の例では、表示欄の背景色を濃い色に変化させることでその欄の用紙プロファイルが選択されたことを示している。なお、変化の態様はこれに限定されるものではない。
【００７６】
ユーザが画面左側に表示された用紙プロファイル一覧７１の中から用紙プロファイルを１つ選択する毎に、その選択された用紙プロファイルが右側の一括登録プロファイル一覧７２に追加表示される。一括登録プロファイル一覧７２には、ユーザが選択した順に用紙プロファイルが上から順に列挙される。図５では、ユーザが用紙プロファイル一覧７１において、識別番号２、４、７の順に用紙プロファイルを選択した場合を例示している。このような順でユーザが用紙プロファイルを選択した場合、右側の一括登録プロファイル一覧７２には識別番号２、４、７の順に用紙プロファイルが上から順に列挙して表示される。給紙トレイが１つの場合は、一括登録プロファイル一覧７２における列挙順（用紙プロファイル一覧７１での選択順）が、その用紙プロファイルの測定対象用紙をメディアセンサ１３で測定する順番になる。
【００７７】
一括登録プロファイル一覧７２には、用紙プロファイル毎に、該用紙プロファイルに係る測定対象用紙の装填先の給紙トレイの番号と、その用紙プロファイルの識別番号と、その用紙プロファイルの名称等が対応付けて表示される。一括登録プロファイル一覧７２において各用紙プロファイルに対応付けて表示する給紙トレイの番号は本体装置１０が自動的に割り当てる。この割り当て処理については後述する。
【００７８】
ユーザは、物性値を登録したい用紙プロファイルをすべて選択し終えたら、画面下部の一括登録開始釦７３を押下する。画像形成装置３の本体装置１０は、一括登録プロファイル一覧７２に列挙された用紙プロファイルの識別番号と、この用紙プロファイルに割り当てた給紙トレイ番号とを対応付けて、列挙順（ユーザの選択順）に、図６に示す一括登録対象配列８０に記憶する。
【００７９】
なお、図５の例では、用紙プロファイル記憶部２５に記憶されている全ての用紙プロファイルを用紙プロファイル一覧７１の表示対象としたが、物性値が登録されていない用紙プロファイルのみを表示対象としてもよい。また、物性値が登録されている用紙プロファイルと物性値が登録されていない用紙プロファイルとを識別可能に区別して表示してもよい。
【００８０】
たとえば、図７は、物性値が登録されている用紙プロファイルのみを用紙プロファイル一覧７１に表示した例である。この例では、識別番号１、３、８の用紙プロファイルには物性値が既に登録されており、これらは用紙プロファイル一覧７１に表示されない。これにより、既に物性値が登録済みの用紙プロファイルをユーザが物性値の登録対象に誤って選択することが防止される。
【００８１】
図８は、用紙プロファイル一覧７１に、物性値が登録されている用紙プロファイルと物性値が登録されていない用紙プロファイルとを識別可能に区別して表示した例である。この例では、物性値が既に登録済み（物性値測定済み）か否かを文字で直接表示してある。文字以外のマーク、色等で識別表示してもよい。ユーザは、物性値測定済みか否かを示す文字等を確認することで、既に物性値が登録済みの用紙プロファイルを物性値の登録対象に不必要に選択することが防止される。また、既に物性値が登録済みの用紙プロファイルも一覧に表示されるので、既に物性値が登録済みの用紙プロファイルについて物性値を登録し直すことも可能になる。
【００８２】
図９は、用紙プロファイルに登録する物性値が測定される用紙の装填先となる給紙トレイ（給紙トレイ番号）を決定する処理を示している。この処理では、給紙トレイは、番号１から順に割り当て、給紙トレイの数は足りるものとする。また、用紙サイズ毎に給紙トレイを変更し、同一サイズの用紙が同じ給紙トレイに装填されるように、各用紙の装填先を決定する。この処理は、一括登録プロファイル一覧７２に列挙された用紙プロファイル毎にそれぞれ実行される。
【００８３】
給紙トレイ番号を決定する対象の用紙プロファイルを、用紙プロファイルＸとする。まず、装填先の給紙トレイの番号を示す変数Ｋを１に初期化し（ステップＳ１０１）、一括登録プロファイル一覧７２に列挙されているいずれかの用紙プロファイルに対して既に番号Ｋの給紙トレイを割り当て済みか否かを確認する（ステップＳ１０２）。
【００８４】
割り当て済みでなければ（ステップＳ１０２;Ｎｏ）、用紙プロファイルＸに対してトレイＫを割り当てて（ステップＳ１０５）、本処理を終了する。
【００８５】
一括登録プロファイル一覧７２に列挙されているいずれかの用紙プロファイルに対して既に番号Ｋの給紙トレイが割り当て済みならば（ステップＳ１０２;Ｙｅｓ）、番号Ｋの給紙トレイが割り当て済みの用紙プロファイルの登録用紙の用紙サイズと、用紙プロファイルＸの登録用紙の用紙サイズが同一か否かを判断する（ステップＳ１０３）。
【００８６】
両者の用紙サイズが異なる場合は（ステップＳ１０３;Ｎｏ）、Ｋを＋１して（ステップＳ１０４）、ステップＳ１０２へ戻り、処理を継続する。
【００８７】
両者の用紙サイズが同一ならば（ステップＳ１０３;Ｙｅｓ）、用紙プロファイルＸに対応する用紙の装填先となる給紙トレイの番号をＫに決定して（ステップＳ１０５）、本処理を終了する。
【００８８】
＜用紙装填工程(手動)＞
用紙装填工程では、用紙プロファイル選択工程で選択された各用紙プロファイルに係る測定対象用紙を、どの給紙トレイの何枚目に装填するかを決定して通知し、ユーザに用紙の装填を指示する。具体的には、一括物性値登録画面７０の画面下部にある一括登録開始釦７３が押下されたら、画像形成装置３の本体装置１０は、用紙装填指示画面９０をポップアップ等で表示する。
【００８９】
図１０は、用紙プロファイル選択工程で選択された用紙プロファイルに係る物性値測定対象用紙のサイズがすべて同じでこれらを１つの給紙トレイに装填する場合に表示する用紙装填指示画面９０の例を示している。図１０に示す用紙装填指示画面９０では、給紙トレイ１に装填する用紙の情報（用紙プロファイル名、用紙種類、坪量、サイズ等）を、装填順（給紙トレイの上からの順）に表示し、この表示通りに用紙を装填するようユーザに指示する。
【００９０】
用紙プロファイル選択工程で選択された用紙プロファイルに係る測定対象用紙の用紙サイズが２種類以上に分かれる場合には、用紙サイズ毎に給紙トレイを変更し、同一サイズの用紙が同じ給紙トレイに装填されるように、各用紙の装填先および装填順序を決定する。
【００９１】
図１１は、装填先の給紙トレイが複数になる場合における用紙装填指示画面９０ａ，９０ｂの一例を示している。用紙装填指示画面９０ａ，９０ｂはそれぞれ１つの給紙トレイに装填する用紙とその装填順序を示しており、装填先の給紙トレイ毎に順に切り替えて表示される。たとえば、給紙トレイ1に識別番号２、４、７の用紙プロファイルに係る物性値測定対象用紙を装填し、給紙トレイ２に識別番号３、８、１１の用紙プロファイルに係る物性値測定対象用紙を装填する場合、まず給紙トレイ１に装填する用紙を指示する用紙装填指示画面９０ａを表示し、この画面で装填完了釦９２が押下されたら、給紙トレイ２に装填する用紙を指示する用紙装填指示画面９０ｂを表示する。このようにして、物性値測定対象用紙の装填先となる全ての給紙トレイに対する用紙装填が完了すると、対応付け工程に移行する。
【００９２】
＜対応付け工程(手動)＞
対応付け工程では、図示省略のスタート釦の押下で、給紙トレイから用紙を給紙してメディアセンサ１３でその用紙の物性値を読み取る処理を開始する。
【００９３】
１つの給紙トレイに、全ての物性値測定対象の用紙が装填されている場合（用紙サイズがすべて同一の場合）は、該当の給紙トレイに装填されている用紙を上から順に繰り出してメディアセンサ１３でそれぞれの用紙の物性値を測定する。そして、ユーザが用紙プロファイル一覧７１で用紙プロファイルを選択した順（＝一括登録プロファイル一覧７２で用紙プロファイルが上から列挙されていた順＝一括登録対象配列８０に登録されている順）と、用紙の測定順（読み取り順）が同一であるとして、メディアセンサ１３で物性値を測定した各用紙とその用紙の物性値が登録される用紙プロファイルとを対応付ける。
【００９４】
用紙サイズが複数で、用紙サイズ別に複数の給紙トレイに分けて用紙が装填されている場合は、本体装置１０は、ユーザが用紙プロファイル一覧７１で用紙プロファイルを選択した順を基本としつつ、１つの給紙トレイに装填された同一サイズの複数枚の用紙が連続してメディアセンサ１３で測定されるように、用紙の測定順を設定する。すなわち、給紙トレイ単位に連続して用紙の物性値を測定するように測定順を設定する。これは、同じ給紙トレイから連続して給紙することで、給紙経路の切り替え回数を減らし、給紙経路の切り替えに伴う処理時間のロスを少なくするためである。
【００９５】
ここでは、給紙トレイ１から昇順に給紙トレイを切り替えていき、１つの給紙トレイ内での測定順は用紙プロファイル一覧７１内での並び順（ユーザの選択順）に従うようにして測定順を設定する。
【００９６】
また、一括登録対象配列８０には、用紙プロファイルの識別番号に関連付けて、該識別番号の用紙プロファイルに登録する物性値を何番目に測定する用紙から得るかを示す情報（実際の測定順を示す番号）を登録する（図１２参照）。また、物性値保存配列８４には、各用紙の物性値を測定順に登録する。そして、測定順をキーにして、一括登録対象配列８０に登録されている用紙プロファイルと物性値保存配列８４に登録されている物性値とを紐付ける。
【００９７】
たとえば、用紙プロファイル一覧７１で用紙プロファイルの選択された順が、識別番号２、３、４、７、８、１１であり、識別番号２、４、７に対応する用紙はＡ４サイズで上からこの順に給紙トレイ１に装填され、識別番号３、８、１１に対応する用紙はＢ４サイズで上からこの順に給紙トレイ２に装填されたものとする。この場合、用紙の測定順は、識別番号２、４、７、３、８、１１となる。図１０に示すように、一括登録対象配列８０には用紙プロファイルの識別番号と測定順が対応付けて登録される。物性値は、図１０に示す物性値保存配列８４に、測定順に登録される。一括登録対象配列８０と物性値保存配列８４とを測定順をキーにして対応付ける（一括登録対象配列８０に登録された測定順から１を減算した値を物性値保存配列８４の配列番号として対応付ける）ことで、各用紙プロファイルとその用紙プロファイルに登録すべき物性値とが１：１に対応付けされる。
【００９８】
＜物性値登録工程（手動）＞
物性値登録工程では、各用紙プロファイルに、この用紙プロファイルに対応付け工程で１：１に対応付けた物性値を登録する。以上で全ての工程が終了する。
【００９９】
次に、一括物性値登録機能を手動モードで行う場合に発生し得る用紙の誤装填に関する対策について説明する。
【０１００】
（対策１）対応付け工程において、測定順に給紙トレイから用紙を給紙してメディアセンサ１３で順次測定するが、同一の給紙トレイから給紙された連続する２枚の用紙を測定して得た物性値が一定以上近い値の場合には、ユーザが同じ用紙を２枚重ねて誤装填したと判断し、表示や音声によりその旨を警告する、もしくは物性値が類似する２枚目を無視して、用紙と用紙プロファイルの対応付けを行う。物性値が類似する用紙が３枚以上連続する場合には、２枚目以降を無視すればよい。
【０１０１】
（対策２）一括物性値登録画面７０で選択された用紙プロファイルに係る測定対象用紙の装填先を決定してから用紙装填指示画面９０でユーザに用紙の装填を指示する前までの間のいずれかのタイミング、たとえば、一括物性値登録画面７０で一括登録開始釦７３が押下された時点で、測定対象用紙の装填先となる給紙トレイに既に用紙が装填されている場合は、表示や音声によりその旨を警告し、その用紙を取り除くようにユーザに指示する。これにより、用紙の装填を指示する前に一括登録に関係のない余計な用紙が給紙トレイに既に装填されていることを警告して、誤った用紙が測定されることを防止する。
【０１０２】
（対策３）一の給紙トレイから繰り出して物性値を測定すべき枚数の用紙をその給紙トレイから繰り出し終えても、その給紙トレイに用紙が残っている場合は、表示や音声により警告を発する。たとえば、用紙の装填を指示した給紙トレイから、指示した枚数分の用紙を給紙して物性値を測定し終えたときに、その給紙トレイに用紙が残っていたら、誤って余計な用紙が給紙トレイに装填されて測定された可能性のある旨の警告を行う。このケースでは、測定した物性値が本来登録すべき用紙プロファイルと異なる用紙プロファイルに登録された可能性がある。
【０１０３】
（対策４）一の用紙プロファイルついて設定した測定対象用紙の装填位置（どの給紙トレイの何枚目）から繰り出した用紙をメディアセンサ１３で測定して得た物性値と、該一の用紙プロファイルとの適合性を判断し、不適合の場合に警告を発する。たとえば、用紙プロファイルが示す登録用紙の用紙サイズと、実際の測定対象用紙の用紙サイズが相違したり、測定した物性値から推定した用紙設定（用紙種類、坪量など）とその用紙プロファイルに登録されている用紙設定が一定以上相違したりする場合は、選択順等に基づいて定めた、用紙と用紙プロファイルとの対応付けに間違いがあると判断して警告する。
【０１０４】
図１３は、手動モードで一括物性値登録を行う場合の処理を示す流れ図である。本体装置１０は、一括物性値登録画面７０を表示し（ステップＳ２０１）、該用紙プロファイル一覧７１で用紙プロファイルの選択操作を受ける毎に（ステップＳ２０２;Ｙｅｓ）、その選択された用紙プロファイルを一括登録プロファイル一覧７２、および一括登録対象配列８０に追加し（ステップＳ２０３）、さらにこの用紙プロファイルに係る測定対象用紙の装填先の給紙トレイを決定し、これを一括登録対象配列８０に登録する（ステップＳ２０４）。
【０１０５】
一括物性値登録画面７０で一括登録開始釦７３の操作を受けたら（ステップＳ２０５;Ｙｅｓ）、装填先に決定した給紙トレイに既に用紙が装填されているか否かを判断する（ステップＳ２０６）。装填先の給紙トレイに既に用紙が装填されている場合は（ステップＳ２０６;Ｙｅｓ）、所定の警告を発して、用紙の取り除きを指示して（ステップＳ２０７）、ステップＳ２０８へ移行する。装填先の給紙トレイに用紙が装填されていない場合は（ステップＳ２０６;Ｎｏ）、ステップＳ２０８へ移行する。
【０１０６】
ステップＳ２０８では、用紙装填指示画面９０を表示して、ユーザに用紙の装填を指示する。本体装置１０は、装填先となるすべての給紙トレイについてユーザが用紙の装填を完了したら、各測定対象用紙の測定順を決定し、該測定順に基づいて、測定される用紙と用紙プロファイルとを１：１に対応付ける（ステップＳ２０９）。
【０１０７】
次に、本体装置１０は、測定順に従って、装填先の給紙トレイから１枚の用紙を給紙してメディアセンサ１３でその物性値を測定する（ステップＳ２１０）。１つ前に測定した用紙と今回測定した用紙が同じ給紙トレイから給紙されている場合には、１つ前に測定した用紙の物性値と今回測定した用紙の物性値の一致性を判断する。そして、それらの物性値が完全一致もしくはほぼ一致する（測定誤差範囲内にある）場合には（ステップＳ２１１;Ｙｅｓ）、ユーザが同じ用紙を誤って２枚重ねて装填したと判断して、その旨の警告を行う共に、今回測定した用紙を無視してステップＳ２１６へ移行する。
【０１０８】
ステップＳ２１１;Ｎｏの場合は、今回測定した物性値と、該物性値を登録する予定の用紙プロファイル（測定順に基づいて対応付けされた用紙プロファイル）の用紙設定とが不適合か否かを判断する（ステップＳ２１３）。不適合と判断した場合には（ステップＳ２１３;Ｙｅｓ）、その旨の警告を行う。この際、不適合となった物性値を該当の用紙プロファイルに登録してもよいし、登録しないようにしてもよい（図１３の破線に示すようにステップＳ２１４からステップＳ２１６へ移行）。
【０１０９】
適合する場合は（ステップＳ２１３;Ｎｏ）、測定した物性値を該当の用紙プロファイル（測定順に基づいて対応付けされた用紙プロファイル）に登録する（ステップＳ２１５）。そして、選択されたすべての用紙プロファイルについて一括登録処理が完了したか否かを調べ、未完了ならば（ステップＳ２１６;Ｎｏ）、ステップＳ２１０に戻って処理を継続する。
【０１１０】
完了ならば（ステップＳ２１６;Ｙｅｓ）、装填先にされたいずれかの給紙トレイに用紙が残っているか否かを調べ、用紙が残っていなければ（ステップＳ２１７;Ｎｏ）、本処理を終了する。装填先にされたいずれかの給紙トレイに用紙が残っている場合は（ステップＳ２１７;Ｙｅｓ）、その旨の警告（用紙と用紙プロファイルとの対応付けに異常のある可能性を警告）して（ステップＳ２１８）、本処理を終了する。
【０１１１】
次に、一括物性値登録機能を自動モードで実行する場合の各工程について説明する。
【０１１２】
＜用紙プロファイル選択工程(自動)＞
図１４は、一括自動物性値登録画面１００の一例を示している。この画面は、たとえば、用紙プロファイル管理画面６０で一括物性値登録釦６１が押下されたら表示する。
【０１１３】
一括自動物性値登録画面１００には、用紙を測定して得た物性値の登録先候補となる用紙プロファイルが一覧にして表示される。ここでは、用紙プロファイル記憶部２５に記憶されている用紙プロファイルのうち、物性値が未登録のものを登録先候補として表示する。ユーザは、一覧の中に物性値の登録先候補となることを希望しない用紙プロファイルが有る場合には、該一覧の中でその用紙プロファイルを選択すればよい。本体装置１０は、一括自動物性値登録画面１００の一覧において選択された用紙プロファイルを登録先候補から除外する。
【０１１４】
本体装置１０は、一括自動物性値登録画面１００の下部の一括登録開始釦１０２の操作を受けたら、ユーザによって除外されなかった用紙プロファイルを物性値の登録先候補に確定する。なお、自動モードにおいても、手動モードと同様にして、物性値の登録先候補にする用紙プロファイルの選択を受けるようにしてもよい。
【０１１５】
＜用紙装填工程(自動)＞
一括自動物性値登録画面１００で一括登録開始釦１０２の操作を受けると、本体装置１０は、図１５に示す用紙装填指示画面（自動）１１０を表示する。ユーザは、物性値を登録したい用紙を、用紙サイズ別に給紙トレイに装填し、装填が完了したら装填完了釦１１２を押下する。装填する用紙の枚数は、一括自動物性値登録画面１００で確定した登録先候補の数に係らず、任意でよい。各給紙トレイ内における用紙の装填順序は任意でよい。また、用紙サイズ別に給紙トレイに装填すれば、どの用紙サイズをどの給紙トレイとするかについても任意でよい。
【０１１６】
＜対応付け工程(自動)＞
自動モードでは、本体装置１０は給紙トレイに装填されている各用紙の物性値を順に測定し、測定した物性値に基づいて対応する用紙プロファイルを登録先候補の中から探索する。詳細には、たとえば、給紙トレイから給紙して物性値を測定した用紙Ａの用紙設定を推定する場合、図１６に示すように、まず、給紙トレイ等に設けたセンサにより用紙Ａの用紙サイズを検出する。次に、給紙トレイから給紙した用紙Ａの物性値をメディアセンサ１３で測定し、該物性値から、所定の用紙設定推定アルゴリズムを用いて用紙Ａの用紙種類、坪量を推定する。そして、検出した用紙サイズと、推定した用紙種類、坪量とを合わせた情報を用紙Ａに関する推定用紙設定とする。
【０１１７】
なお、用紙の測定順は、１つの給紙トレイに装填された用紙が連続してメディアセンサ１３で測定されるように設定する。ここでは、用紙が装填されている給紙トレイの中でトレイ番号の小さい順に、各給紙トレイに装填されている用紙を測定する。本体装置１０は、測定順に、物性値と推定用紙設定とを図１７に示す物性値保存配列１２０に登録する。
【０１１８】
本体装置１０は、測定した用紙の推定用紙設定（用紙サイズを含む）と、一括自動物性値登録画面１００で登録先候補に確定された各用紙プロファイルの用紙設定（用紙サイズを含む）とを比較し、その用紙に対応する用紙プロファイルを特定する。図１８は、推定用紙設定と各用紙プロファイルの用紙設定とを比較する様子を示している。測定順に、その用紙に対応する用紙プロファイルを特定する。その際、既に用紙と対応付けされた用紙プロファイルは、以後の比較対象から除外することで、比較処理の効率化を図る。
【０１１９】
図１８の例では、推定用紙設定との比較は用紙プロファイルＸ，Ｙ，Ｚの順に行うものとする。最初に物性値を測定した用紙Ａについては、用紙プロファイルＸから順に比較し、Ｙと一致するので、用紙プロファイルＹを用紙Ａに対応する用紙プロファイルに特定する。次の用紙Ｂは用紙プロファイルＸと一致するので、用紙プロファイルＸを用紙Ｂに対応する用紙プロファイルに特定する。次の用紙Ｃは用紙プロファイルＸ、Ｙは特定済みなので、用紙プロファイルＸ，Ｙとの比較はスキップして用紙プロファイルＺと比較し、Ｚと一致するので、用紙プロファイルＺを用紙Ｃに対応する用紙プロファイルに特定する。
【０１２０】
用紙と用紙プロファイルとを１：１に対応付けて特定する態様には以下の３態様がある。
【０１２１】
（１）登録先候補の中に推定用紙設定と完全に一致する用紙設定の登録された用紙プロファイルが１つのみ検出された場合
この場合は、測定した用紙（該用紙の物性値）と検出された用紙プロファイルとを１：１に対応付ける。
【０１２２】
（２）登録先候補の中に推定用紙設定と完全に一致する用紙設定の登録された用紙プロファイルが複数ある場合
この場合は、一致した用紙プロファイルの一覧を表示し、その中の１つの選択をユーザから受け、測定した用紙（該用紙の物性値）と選択された用紙プロファイルとを１：１に対応付ける。
【０１２３】
（３）登録先候補の中に推定用紙設定と完全に一致する用紙設定の登録された用紙プロファイルがない場合
この場合、本体装置１０は、図１９に示す様な不一致対応画面１３０を表示して、今回測定した用紙の物性値を用紙プロファイルに登録しない（登録せず釦１３１）、もしくは、用紙プロファイルを新規作成して登録する（新規作成釦１３２）、のいずれかをユーザに選択させる。図２０は、不一致対応画面１３０の下部にある新規作成釦１３２を押下した場合に表示される用紙プロファイル登録画面１４０の一例を示している。遷移先の用紙プロファイル登録画面１４０では、推定用紙設定の内容がデフォルト設定される。本体装置１０は用紙プロファイルが新規作成された場合、該新規作成された用紙プロファイルと測定した用紙（該用紙の物性値）とを１：１に対応付ける。
【０１２４】
＜物性値登録工程（自動）＞
自動モードでの物性値登録工程では、給紙トレイ内の各用紙を測定した得た物性値を、その用紙と１：１に対応付けされた用紙プロファイルに登録する。以上で全ての工程が終了する。
【０１２５】
図２１は、自動モードで一括物性値登録を行う場合の処理を示す流れ図である。本体装置１０は、用紙プロファイル記憶部２５等に保存されている用紙プロファイルの中で物性値が未登録のものを検索し、それらを一覧で示す一括自動物性値登録画面１００を表示する（ステップＳ３０１）。
【０１２６】
一括自動物性値登録画面１００においてユーザから特定の用紙プロファイルが除外対象に選択された場合は（ステップＳ３０２;Ｙｅｓ）、その選択された用紙プロファイルを一括登録の登録先候補から除外する（ステップＳ３０３）。
【０１２７】
一括自動物性値登録画面１００において一括登録開始釦１０２の操作を受けると、除外されずに一覧に残っている用紙プロファイルを物性値の登録先候補に確定し、用紙装填指示画面（自動）１１０を表示し、ユーザに給紙トレイへの用紙の装填を指示する（ステップＳ３０５）。用紙装填指示画面（自動）１１０において装填完了釦１１２が押下されたら（ステップＳ３０６;Ｙｅｓ）、給紙トレイ単位の測定順を決定する（ステップＳ３０７）。ここでは、番号の小さい給紙トレイから順に測定する。具体的には、給紙トレイ１に装填されている用紙を上から順に測定し、給紙トレイ１が空になったら、給紙トレイ２に装填されている用紙を上から順に測定する、というように測定を進める。
【０１２８】
上記測定順に従って、該当の給紙トレイから１枚の用紙を給紙しその物性値をメディアセンサ１３で測定する（ステップＳ３０８）。
【０１２９】
１つ前に測定した用紙と今回測定した用紙が同じ給紙トレイから給紙されている場合には、１つ前に測定した用紙の物性値と今回測定した用紙の物性値の一致性を判断する。そして、それらの物性値が完全一致もしくはほぼ一致する（測定誤差範囲内にある）場合には（ステップＳ３０９;Ｙｅｓ）、ユーザが同じ用紙を誤って２枚重ねて装填したと判断して、その旨の警告を行う共に、今回測定した用紙を無視して（ステップＳ３１０）、ステップＳ３１９へ移行する。
【０１３０】
ステップＳ３０９;Ｎｏの場合は、今回測定した物性値から推定用紙設定を求め、登録されている用紙設定が該推定用紙設定と一致する用紙プロファイルを、登録先候補（用紙と既に対応付けされたものを除く）の中から検索する（ステップＳ３１１）。
【０１３１】
検索の結果、推定用紙設定と登録されている用紙設定の一致する用紙プロファイルが１つのみ検索された場合は（ステップＳ３１２;１：１）、測定結果の物性値をその一致した用紙プロファイルに登録し（ステップＳ３１３）、ステップＳ３１９へ移行する。
【０１３２】
一致する用紙プロファイルが複数検索された場合は（ステップＳ３１２;１:多）、それらの中の１つの選択をユーザから受け付け（ステップＳ３１４）、その選択された用紙プロファイルに測定結果の物性値を登録し（ステップＳ３１５）、ステップＳ３１９へ移行する。
【０１３３】
一致する用紙プロファイルが無い場合は（ステップＳ３１２;なし）、用紙プロファイルを新規作成するか、今回の物性値を登録しないかの選択をユーザから受け付ける（ステップＳ３１６）。新規作成が選択された場合は（ステップＳ３１６;Ｙｅｓ）、用紙プロファイル登録画面１４０を表示してユーザを用紙プロファイルの新規作成に誘導する。そして、新規作成された用紙プロファイルに今回の測定結果の物性値を登録して（ステップＳ３１７）、ステップＳ３１９へ移行する。
【０１３４】
物性値を登録しない選択を受けた場合は（ステップＳ３１６;Ｎｏ）、今回の測定結果の物性値は登録せずに（ステップＳ３１８）、ステップＳ３１９へ移行する。
【０１３５】
ステップＳ３１９では、一括登録が完了したか否かを判断する。すべての給紙トレイで用紙が無くなったとき、一括登録完了と判断して（ステップＳ３１９;Ｙｅｓ）、本処理を終了する。一括登録完了でなければ、すなわち、いずれかの給紙トレイに未だ用紙が残っているならば（ステップＳ３１９;Ｎｏ）、ステップＳ３０８に戻って処理を継続する。
【０１３６】
以上説明したように、画像形成装置３は、用紙を測定して得た物性値をその用紙に対応する用紙プロファイルへ登録する処理を、複数の用紙プロファイル（もしくは用紙）について一括して行うことができるので、効率よく物性値を多数の用紙プロファイルに登録することができる。
【０１３７】
また、一括登録対象の用紙のサイズが複数混在する場合は、同じ用紙サイズの用紙を１つの給紙トレイにまとめて装填するように指示し、１つの給紙トレイに装填された用紙を連続的に給紙し測定するようにしたので、給紙トレイの切り替え回数や用紙サイズに関する装置設定の変更回数が減り、用紙サイズの異なる複数枚の用紙の物性値の測定を効率良く行うことができる。
【０１３８】
また、用紙の装填ミスを検出して警告したり、同じ給紙トレイから同じ物性値の用紙が連続したときに２枚目の用紙を無視（物性値を登録しない）するので、用紙プロファイルに、誤った用紙の物性値が登録されることが防止される。
【０１３９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４０】
実施の形態では、メディアセンサ１３を本体装置１０の搬送経路上に配置したインライン方式としたが、該搬送経路上以外の場所に配置するオフライン方式であってもかまわない。また、オフライン方式の場合、各用紙をユーザが１枚ずつ手動でメディアセンサ１３の読取位置にセットする構成でもよいし、１または複数の給紙トレイから自動的にメディアセンサ１３の読み取り位置に用紙を順次送り込む方式であってもよい。
【０１４１】
実施の形態では手動モードでの用紙の測定順は、ユーザが用紙プロファイル一覧７１から用紙プロファイルを選択した順序を基準に設定したが、選択順に係らず、装置側で任意の測定順を設定してもよい。その設定した測定順に合致するように各用紙プロファイルに対応する測定対象用紙の装填位置（どの給紙トレイの何枚目）をユーザに指示すればよい。たとえば、用紙プロファイルの識別番号が小さい順に測定対象用紙の物性値を測定するとした場合に、選択された複数の用紙プロファイルの用紙サイズがすべて同一ならば、選択された用紙プロファイルを識別番号の小さい順に上から並べて一覧表示し、該一覧の順に従って、一の給紙トレイに測定対象用紙を装填するように指示すればよい。
【符号の説明】
【０１４２】
３…画像形成装置
５…給紙ユニット
１０…本体装置
１１…画像形成部
１１ａ…中間転写ベルト
１１ｂ…像形成ユニット
１１ｃ…定着装置
１２…搬送部
１３…メディアセンサ
１４…操作パネル
１６…スキャナ部
２０…画像処理部
２１…コントローラ制御ＣＰＵ
２２…ＤＲＡＭ制御部
２３…画像メモリ
２４…ＬＡＮＩ／Ｆ部
２５…用紙プロファイル記憶部
３０…本体部
３１…プリントエンジン部
３２…プリンタ制御部
４０…制御部
４１…ＤＲＡＭ制御部
４２…画像制御ＣＰＵ
４３…不揮発メモリ
４４…読み取り処理部
４５…圧縮ＩＣ
４６…書き込み処理部
４７…伸張ＩＣ
４８…画像メモリ
６０…用紙プロファイル管理画面
６１…一括物性値登録釦
７０…一括物性値登録画面
７１…用紙プロファイル一覧
７２…一括登録プロファイル一覧
７３…一括登録開始釦
８０…一括登録対象配列
８４…物性値保存配列
９０、９０ａ、９０ｂ…用紙装填指示画面
９２…装填完了釦
１００…一括自動物性値登録画面
１０２…一括登録開始釦
１１０…用紙装填指示画面（自動）
１１２…装填完了釦
１２０…物性値保存配列
１３０…不一致対応画面
１３１…登録せず釦
１３２…新規作成釦
１４０…用紙プロファイル登録画面
【図１】
2020012940.tif 000003
【図２】
2020012940.tif 000004
【図３】
2020012940.tif 000005
【図４】
2020012940.tif 000006
【図５】
2020012940.tif 000007
【図６】
2020012940.tif 000008
【図７】
2020012940.tif 000009
【図８】
2020012940.tif 000010
【図９】
2020012940.tif 000011
【図１０】
2020012940.tif 000012
【図１１】
2020012940.tif 000013
【図１２】
2020012940.tif 000014
【図１３】
2020012940.tif 000015
【図１４】
2020012940.tif 000016
【図１５】
2020012940.tif 000017
【図１６】
2020012940.tif 000018
【図１７】
2020012940.tif 000019
【図１８】
2020012940.tif 000020
【図１９】
2020012940.tif 000021
【図２０】
2020012940.tif 000022
【図２１】
2020012940.tif 000023
【図２２】
2020012940.tif 000024
【図２３】
2020012940.tif 000025